(57)【要約】【課題】本発明はレンズモジュールを提供する。【解決手段】レンズモジュールは、鏡筒と、前記鏡筒内に収容されるレンズ群とを備え、前記鏡筒は、第１内径を有する第１筒壁と、第２内径を有する第２筒壁と、第１筒壁と第２筒壁を接続する接続壁とを備え、前記第１内径は、前記第２内径より小さく、前記レンズ群は、前記第２筒壁内に設けられるレンズを備え、前記レンズは薄肉化された縁部を備え、前記薄肉化された縁部と前記接続壁との間に、遮光構造が介設されている。本発明に係るレンズモジュールにおけるレンズでは、迷光が低減され、光学性能を向上させることができる。空間が限られた場合、空隙間隔を調整するために、１つの遮光板が増設される。【選択図】図１
2020027286.tif 000002
【特許請求の範囲】
【請求項１】
鏡筒と、前記鏡筒内に収容されるレンズ群とを備えるレンズモジュールにおいて、前記鏡筒が、第１内径を有する第１筒壁と、第２内径を有する第２筒壁と、第１筒壁と第２筒壁とを接続する接続壁とを備え、前記第１内径が前記第２内径より小さく、前記レンズ群が、前記第２筒壁内に設けられるレンズを備えるレンズモジュールであって、
前記レンズは、薄肉化された縁部を備え、前記薄肉化された縁部と前記接続壁との間に、遮光構造が介設されている、ことを特徴とするレンズモジュール。 
【請求項２】
前記薄肉化された縁部は、前記遮光構造に当接する水平面と、前記水平面に接続される艶消し斜面とを備え、前記艶消し斜面は、前記水平面から光軸に近づく方向に向かって且つ物体側に向かって傾斜する、ことを特徴とする請求項１に記載のレンズモジュール。
【請求項３】
前記艶消し斜面は、前記遮光構造と間隔をあけて設けられている、ことを特徴とする請求項２に記載のレンズモジュール。
【請求項４】
前記遮光構造は、遮光板である、ことを特徴とする請求項１に記載のレンズモジュール。
【請求項５】
前記遮光構造は、遮光シートと遮光板であり、前記遮光シートは、前記接続壁と前記遮光板との間に介設されている、ことを特徴とする請求項１に記載のレンズモジュール。
【請求項６】
前記遮光シートの光軸に近い端部は、前記遮光板の光軸に近い端部よりも、光軸に近接している、ことを特徴とする請求項５に記載のレンズモジュール。
【請求項７】
前記レンズ群は、前記第１筒壁内に設けられるレンズをさらに備える、ことを特徴とする請求項１に記載のレンズモジュール。
【発明の詳細な説明】
【技術分野】
【０００１】
本発明は撮像レンズ分野に関し、具体的にレンズモジュールに関する。
【背景技術】
【０００２】
科学技術が絶えずに発展しているに伴い、電子機器はインテリジェント化に向かって進展しており、デジタルカメラに加えて、タブレットＰＣや携帯電話などの携帯電子機器にもレンズモジュールが配置されている。人々の使用の需要を満たすために、レンズモジュールによって撮像された被写体像の品質に対しても、より高く要求されている。
【発明の概要】
【発明が解決しようとする課題】
【０００３】
しかしながら、関連する技術において、前記レンズモジュールにおける前記遮光シートは、隣り合う２枚のレンズの間に介設されており、前記レンズに対して、遮光作用を果たすが、前記遮光シートは、２つの同心円にプレスされて形成された環状構造であり、形態が単一であり、前記レンズの、前記遮光シートに当接支持する当接支持部位は、前記遮光シートに対して干渉を形成できず、前記遮光シートによる遮光効果が劣り、ひいては、迷光が依然としてあり、前記レンズモジュールの光学性能に影響を与える。
従って、新型のレンズモジュールを提供する必要がある。
【課題を解決するための手段】
【０００４】
上記問題を解決するために、本発明はレンズモジュールを提供し、前記レンズモジュールは、鏡筒と、前記鏡筒内に収容されるレンズ群とを備え、前記鏡筒は、第１内径を有する第１筒壁と、第２内径を有する第２筒壁と、第１筒壁と第２筒壁を接続する接続壁とを備え、前記第１内径は、前記第２内径より小さく、前記レンズ群は前記第２筒壁内に設けられるレンズを備え、前記レンズは薄肉化された縁部を備え、前記薄肉化された縁部と前記接続壁との間に、遮光構造が介設されている。 
【０００５】
１種の改良として、前記薄肉化された縁部は、前記遮光構造に当接する水平面と、前記水平面に接続される艶消し斜面とを備え、前記艶消し斜面は、前記水平面から光軸に近づく方向に向かって且つ物体側に向かって傾斜する。
【０００６】
１種の改良として、前記艶消し斜面は、前記遮光構造と間隔をあけて設けられている。
【０００７】
１種の改良として、前記遮光構造は、遮光板である。
【０００８】
１種の改良として、前記遮光構造は、遮光シートと遮光板であり、前記遮光シートは、前記接続壁と前記遮光板との間に介設されている。
【０００９】
１種の改良として、前記遮光シートの光軸に近い端部は、前記遮光板の光軸に近い端部よりも、光軸に近接している。
【００１０】
１種の改良として、前記レンズ群は、前記第１筒壁内に設けられるレンズをさらに備える。
【発明の効果】
【００１１】
本発明が奏する有益な効果は以下の通りである。
本発明に係るレンズモジュールは、鏡筒の内壁面とレンズのエッジ部分を包囲構造に形成し、当該包囲構造内に遮光構造が包まれており、上記レンズにさらに艶消し斜面が設けられていることで、迷光が低減され、光学性能を向上させることができ、空間が限られた場合、空隙間隔を調整するために、１つの遮光板が増設される。
【図面の簡単な説明】
【００１２】
【図１】本発明に係るレンズモジュールの構造を示す断面模式図である。
【図２】本発明に係る鏡筒の構造を示す断面模式図である。
【図３】本発明に係るレンズモジュールにおける第１レンズの構造模式図である。
【発明を実施するための形態】
【００１３】
以下、本発明の技術案およびその各利点をよりよく理解するために、具体的な実施形態によって図面を参照しながら本発明をさらに詳細に説明する。４枚の小型レンズの構造を例として、本発明に係るレンズモジュールを説明するが、これが本発明を限定するものであると理解すべきではない。以下の実施形態では、紙面の左右方向を水平方向と称し、紙面における水平方向に垂直な方向、すなわち、紙面の上下方向を垂直方向と称する。
【００１４】
図１に示すように、本発明はレンズモジュールを提供し、当該レンズモジュールは、鏡筒１と、この鏡筒１内に収容されるレンズ群２とを備える。
【００１５】
図１と図２に示すように、鏡筒１は、第１内径を有する第１筒壁１１と、第２内径を有する第２筒壁１２と、第１筒壁１１と第２筒壁１２を接続する接続壁１３とを備え、第１内径は、前記第２内径より小さく、鏡筒１は、光通過孔１７をさらに備え、鏡筒１は一体構造であってもよく、別体構造であってもよい。
【００１６】
図３に示すように、レンズ群２は、第２筒壁１２内に設けられる第１レンズ２１を備え、第１レンズ２１は、対称構造をなす。そのため、第１レンズ２１の左側の部分を例として説明し、それと同じ構造について説明を省略する。具体的に、第１レンズ２１は、光学部２７と、光学部２７を周回し、且つ薄肉化された縁部２８とを備え、ここで、薄肉化された縁部２８と接続壁１３との間に遮光構造が介設されており、当該遮光構造によってレンズモジュールの光学性能を向上させることができる。
【００１７】
具体的に、縁部２８の物体側面は、第１レンズ２１の外縁から光軸Ｘに近づく方向向かって水平に延在する第１水平面２８１と、第１水平面２８１から光軸Ｘに近づく方向に向かって且つ物体側に向かって延在する艶消し斜面２８２とを備え、ここで、艶消し斜面２８２で迷光を解消することができ、例えば、艶消し斜面２８２を黒色に塗布し、又は艶消し斜面２８２に迷光を解消するための材料を塗布することなどの手段で、迷光の解消を図り、これによってレンズモジュールの光学性能を向上させることもできる。さらに、本実施形態では、遮光構造は、遮光板２５と遮光シート２６であるが、これに限定されず、遮光板２５のみであってもよい。遮光シート２６は接続壁１３と遮光板２５との間に介設されており、遮光シート２６の光軸Ｘに近い端部は、遮光板２５の光軸Ｘに近い端部よりも、光軸Ｘに近接している。遮光板２５と遮光シート２６は、直角で嵌合するように第２筒壁１２の内壁面に当接支持し、さらに、遮光板２５は、第１水平面２８１に貼り合わされた第２水平面２５１と、第２水平面２５１から光軸Ｘに近づく方向に向かって且つ物体側に向かって傾斜延在する第１斜面２５２とを備え、当該第１斜面２５２は、艶消し斜面２８２と間隔をあけて設けられ、換言すれば、第１斜面２５２と艶消し斜面２８２は、なす角を有し、当該なす角は、鋭角であることが好ましい。
【００１８】
また、レンズ群２は、第１筒壁１１内に設けられる第２レンズ２２、第３レンズ２３及び第４レンズ２４を備え、各レンズには、いずれも光学部及び光学部を囲む周辺部が設けられている。 
【００１９】
また、第１レンズ２１、第２レンズ２２、第３レンズ２３及び第４レンズ２４は、例えばガラスレンズ、プラスチックレンズ又は他の材質のレンズである。なお、レンズ群２におけるレンズの数は、これに限定されない。また、第２レンズ２２と第３レンズ２３との間に遮光板２５が設けられ、第３レンズ２３と第４レンズ２４との間に、遮光シートが設けられ、第４レンズ２４の周辺部の像側面は、接着剤塗布または１つの押さえ環の増設によって接着固定される。
【００２０】
従来技術に比べ、本発明に係るレンズモジュールは、鏡筒の接続壁とレンズの周辺部を包囲構造に形成し、この包囲構造内に遮光構造が包まれている。迷光を低減させて、光学性能を向上させるために、上記レンズには、艶消し斜面がさらに設けられている。空間が限られた場合、空隙間隔を調整するために、１つの遮光板が増設される。
【００２１】
上述したのは、本発明の実施形態に過ぎず、当業者にとって、本発明の趣旨を逸脱しない範囲で改良を加えることが可能であるが、これら全ては本発明の保護範囲に含まれると理解されるべきである。
【図１】
2020027286.tif 000003
【図２】
2020027286.tif 000004
【図３】
2020027286.tif 000005